(57)【要約】【課題】  利用者用カードのカード情報の登録の簡便化を図る。【解決手段】  カードロックシステム１は、予めカード３１，３２に記憶された施解錠情報の正当性を判別し、正常に認証したときのみ錠前を施解錠する電気錠として、建物の戸別毎に配設された戸別側カード式電気錠１０と、建物の共用部に配設された共用部側カード式電気錠２０とを備えている。戸別側カード式電気錠１０は、建物の利用者が使用する利用者用カードのカード情報を必要枚数分だけ読み取り、読み取った必要枚数分のカード情報を登録する。そして、管理者が使用する管理用カードのカード情報を読み取ったときに、それまでに記憶された利用者用カードの必要枚数分のカード情報を管理用カードに書き込む。共用部側カード式電気錠２０は、管理用カードのカード情報を読み取り、読み取ったカード情報を一括登録して記憶する。【選択図】    図１
2006241889.tif 000002
【特許請求の範囲】
【請求項１】
予めカードに記憶された施解錠情報の正当性を判別し、正常に認証したときのみ錠前を施解錠する電気錠として、建物の戸別毎に配設された戸別側カード式電気錠と、前記建物の共用部に配設された共用部側カード式電気錠とを備えたカードロックシステムにおいて、
前記戸別側カード式電気錠は、前記建物の利用者が使用する利用者用カードのカード情報を必要枚数分だけ読み取るカード情報読取手段と、該カード情報読取手段が読み取った必要枚数分のカード情報を登録して記憶する記憶手段と、管理者が使用する管理用カードのカード情報を前記カード情報読取手段が読み取ったときに前記記憶手段に記憶された前記利用者用カードの必要枚数分のカード情報を前記管理用カードに書き込むカード情報書込手段とを備え、
前記共用部側カード式電気錠は、前記管理用カードのカード情報を読み取るカード情報読取手段と、該カード情報読取手段が読み取ったカード情報を一括登録して記憶する記憶手段とを備えたことを特徴とするカードロックシステム。
【請求項２】
前記戸別側カード式電気錠は、前記カード情報読取手段が前記管理用カードのカード情報を読み取ったときに、施工時に使用する施工時用カードの使用を不可にし、前記利用者用カードのカード情報を必要枚数分だけ読み取って登録する登録モードに設定することを特徴とする請求項１記載のカードロックシステム。
【発明の詳細な説明】
【技術分野】
【０００１】
本発明は、例えばカード種別やカードＩＤなどの施解錠情報が記憶されたカードを用い、このカードに記憶された施解錠情報の正当性を判別し、正常に認証したときのみ錠前の施解錠を行うカードロックシステムに係り、カード情報の登録の簡易化を図ることができるカードロックシステムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカードを用い、このカードに記憶されている各種データ（例えば特定の暗号による施解錠データ）を読み取り、読み取った各種データを予め登録された情報と照合して正当性を判別し、正常に認証した場合のみ施解錠を行うものである。
【０００３】
このようなカード式電気錠は、ピッキング等の不正な施解錠行為を防止し、且つ、鍵の複製が非常に困難なため、セキュリティー面において信頼されている。また、各カード毎の各種データをホストコンピューターで管理しているため、データ破損等の心配がなく、カードを紛失した場合においてもカードを再発行することが可能である。そして、このようなカード式電気錠を用いたシステムとしては、例えば下記特許文献１に開示される出入管理システムが知られている。
【０００４】
特許文献１に開示される出入管理システム１０１は、図４に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００５】
カードコントローラ１０６は、電気錠１０３に接続された唯一の電気錠駆動部Ｋ（１０４，１０５）と、複数の磁気カードリーダ１０４および１０５のうちいずれかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【特許文献１】特開２００１−２４１２２６号公報
【発明の開示】
【発明が解決しようとする課題】
【０００６】
ところで、この種のカードロックシステムでは、電気錠の施解錠に様々なカードが使用される。そのカードとしては、例えば建設現場で施工関係者が使用するコンストラクションカードと称する施工時用カード、施工後に建物を利用する利用者が使用する利用者用カード、全ての電気錠の施解錠が可能なマスターカードなどが知られている。
【０００７】
しかし、このような様々なカードを使用可能にする場合には、カードに記憶された例えばカードの種別やＩＤなどのカード情報を施解錠情報の一情報として、実際に錠前を施解錠するカード式電気錠に登録しておく必要がある。
【０００８】
例えばマンションなどの集合住宅では、エントランスや駐車場などの共用施設に配設される電気錠、各居室毎に配設される電気錠など、各電気錠がそれぞれ独立制御されており、これら独立制御される電気錠を採用したカードロックシステムにおいて、各居室の電気錠に必要枚数のカード情報を登録し、さらにこれら必要数枚のカード情報を共用施設の電気錠にも登録する場合には、以下に説明する（１）、（２）の方法の何れかを採用していた。
【０００９】
（１）各居室毎の電気錠に必要枚数のカード情報を１枚ずつ直接現物登録した後、同様に共用施設の電気錠にも必要枚数のカード情報を１枚ずつ直接現物登録する。
【００１０】
（２）各居室毎の電気錠に必要枚数のカード情報を１枚ずつ直接現物登録した後、これら必要枚数のカード情報をパソコンなどの情報処理端末に１枚ずつ現物登録し、情報処理端末から共用施設の電気錠に必要枚数のカード情報を一括登録する。
【００１１】
しかしながら、上述した従来の方法では、最終的に共用施設の電気錠に必要枚数のカード情報を登録するまでの作業として必要枚数のカード情報を１枚ずつ現物登録する作業を行うため、カード登録に手間がかかるという問題があった。また、カード登録の数が多くなると、その分だけ現物登録も多くなり、登録ミスを防ぐことができなかった。さらに、従来のカードは読み取り専用であったため、複数枚のカード情報を１枚のマスターカードに集約することができなかった。また、コンストラクションカードなど施工時用カードを無効にする場合でも、各電気錠毎に施工時用カードを使用不可にする設定をしなければならなかった。
【００１２】
そこで、本発明は上記問題点に鑑みてなされたものであり、カード登録にかかる負担を軽減し、カード登録の簡略化を図ることができるカードロックシステムを提供することを目的とするものである。
【課題を解決するための手段】
【００１３】
上記した目的を達成するために、請求項１記載されたカードロックシステムは、
【００１４】
請求項２に記載されたカードロックシステムは、
【発明の効果】
【００１５】
本発明のカードロックシステムによれば、戸別側カード式電気錠に登録した利用者用カードの必要枚数分のカード情報を管理用カードに一旦記憶させ、この管理用カードから共用部側カード式電気錠にカード情報を転送して一括登録をすることができるため、登録作業が簡素化しシステムの利便性を向上させる効果を奏する。
【００１６】
また、戸別側カード式電気錠が管理用カードのカード情報を認識した時点で施工時用カードを使用不可にするので、施工時用カードを設定不可にする設定の手間が省け、施工時用カードの無効化を容易に行うことができる。
【発明を実施するための最良の形態】
【００１７】
以下、本発明の実施の形態について、添付した図面を参照しながら具体的に説明する。図１は本発明に係るカードロックシステムの概略構成を示すブロック図、図２は同システムの具体的な使用例を示す概念図、図３（ａ）〜（ｃ）は同システムに使用するカードの構成を示す説明図である。
【００１８】
カード式電気錠は、カード種別やカードＩＤなどのカード情報を含む錠前の施解錠に必要な施解錠情報が予め記憶されたカードを用い、このカードに記憶された施解錠情報の正当性を判別し、正常に認証したときのみ錠前を施解錠するものである。
【００１９】
本例では、建物の利用者が使用する利用者用カードのカード情報を戸別側カード式電気錠に必要な枚数分だけ登録し、その登録した必要枚数分のカード情報を管理者が所有する管理用カードに一旦記憶させ、この管理用カードに記憶させたカード情報を共用部側カード式電気錠に一括登録することができるカードロックシステムを提供している。
【００２０】
以下、本例のカードロックシステムをマンションなどの集合住宅に採用した場合を例にとって図１〜図３を参照しながら説明する。図１に示すように、カードロックシステム１は、集合住宅の各居室毎に戸別に配設される戸別側カード式電気錠１０と、エントランスや駐車場などの共用部に配設された共用部側カード式電気錠２０とで概略構成され、それぞれの電気錠がカード情報に基づいて各々独立して錠前の施錠制御が行われる。
【００２１】
本例で使用するカードは、例えば磁気カード、ＩＣカード、非接触ＩＣチップ内蔵カードなどで構成され、その種類としては、図２及び図３に示すように、管理用カード３１と、施解錠カード３２とがある。管理用カード３１は、マスターカードと称して管理者が所有するカードであり、図３（ａ）に示すように、カード種別、カードＩＤ、施解錠カード３２のカードＩＤ（図中では７カード分のカードＩＤ）をそれぞれ記憶するため記憶領域を有するカード状記憶媒体で構成される。この管理用カード３１は、戸別側カード式電気錠１０に登録されたカード情報を共用部側カード式電気錠２０に転送して一括登録する際に使用される他、施工時から施工後の建物全体の電気錠の施解錠や電気錠に関する各種処理を行う際に使用される。
【００２２】
施解錠カード３２は、例えば建築現場などで施工時に施工関係者の管理目的として使用するコンストラクションカードと称する施工時用カード３２ａと、施工後に建物（例えばマンションなどの集合住宅、ホテルなどの宿泊施設、オフィスビルのテナントなど）の利用者が使用する利用者用カード３２ｂとからなる。
【００２３】
施工時用カード３２ａは、図３（ｂ）に示すように、カード種別、カードＩＤ、新たに作製されたときに更新される追番をそれぞれ記憶するための記憶領域を有するカード状記憶媒体で構成される。この施工時用カード３２ａは、常に追番が一番新しいカードしか使用できず、更新された場合はそれ以前に使用していた施工時用カード３２ａが使用不可になる。
【００２４】
利用者用カード３２ｂは、図３（ｃ）に示すように、カード種別、カードＩＤをそれぞれ記憶するための記憶領域を有するカード状記憶媒体で構成される。
【００２５】
なお、図３（ａ）の例では、管理用カード３１が施解錠カード３２のカードＩＤを７カード分だけ記憶する記憶領域を設けたものを図示したが、記憶する施解錠カード３２のカードＩＤの数はこれに限定されることではなく、使用するカードの記憶領域と建物の規模や設置場所に応じて適宜選択することができる。
【００２６】
次に、本例のカードロックシステム１の各部の構成について、図１及び図２を参照しながら詳細に説明する。
【００２７】
戸別側カード式電気錠１０は、図２に示すような各住戸別の玄関扉２に配設され、戸別側施解錠制御部１１、戸別側駆動機構１２、戸別側電源部１３を備えて構成される。
【００２８】
また、戸別側施解錠制御部１１は、図１に示すように、戸別側カード情報読書手段１１ａ、戸別側電気錠制御手段１１ｂ、戸別側記憶手段１１ｃを備えている。
【００２９】
戸別側カード情報読書手段１１ａは、各種カード（管理用カード３１や施解錠カード３２）からカード情報を読み取る読取手段と、戸別側記憶手段１１ｃに登録して記憶されたカード情報を管理用カード３１に書き込む書込手段の両方の機能を備えたカードリーダ／ライタで構成される。
【００３０】
さらに説明すると、戸別側カード情報読書手段１１ａは、カード情報の登録時において、管理用カード３１や利用者用カード３２ｂのカード情報を読み取り、読み取ったカード情報を戸別側電気錠制御手段１１ｂに出力している。登録モード中に利用者用カード３２ｂから読み取った必要枚数のカード情報は、戸別側電気錠制御手段１１ｂを介して戸別側記憶手段１１ｃに記憶して登録される。また、施工終了後に施工時用カード３２ａを使用不可にする場合には、管理用カード３１から読み取ったカード情報を戸別側電気錠制御手段１１ｂに出力している。さらに、戸別側記憶手段１１ｃに記憶された利用者用カード３２ｂの必要枚数分のカード情報を共用部側カード式電気錠２０に一括登録させる場合には、戸別側記憶手段１１ｃに記憶されている必要枚数分のカード情報を管理用カード３１に書き込んでいる。また、戸別側カード情報読書手段１１ａは、錠前の施解錠時において、カード（管理用カード３１や施解錠カード３２）のカード情報を読み取り、戸別側電気錠制御手段１１ｂに出力している。
【００３１】
戸別側電気錠制御手段１１ｂは、例えばＣＰＵなどのマイクロコンピュータなどで構成され、カード情報の登録時において、戸別側カード情報読書手段１１ａが管理用カード３１のカード情報が読み取ったときに、施工時用カード３２ａの使用不可にした後、利用者用カード３２ｂの登録が行える状態の登録モードに変更する。そして、この登録モードにおいて、戸別側カード情報読書手段１１ａが読み取った必要枚数の利用者用カード３２ｂのカード情報を戸別側記憶手段１１ｃに記憶させて登録している。さらに、戸別側電気錠制御手段１１ｂは、錠前の施解錠時において、戸別側カード情報読書手段１１ａが読み取ったカード情報と、戸別側記憶手段１１ｃに予め登録された施解錠情報（事前に登録されたカード情報を含む）とを照合してその正当性を判別し、正常に認証したときのみ錠前を施解錠制御している。さらに、戸別側電気錠制御手段１１ｂは、上記錠前の施解錠に関する施解錠情報の入出力制御の他、錠前の施解錠時に戸別側駆動機構１２を駆動するための駆動制御信号の出力、戸別側電源部１３から戸別側駆動機構１２への電源供給の制御、錠前からモニタ情報として入力される状態信号（例えば、扉の開閉状態信号、錠前の施解錠状態信号）の判別処理などを行っている。
【００３２】
戸別側記憶手段１１ｃは、例えば磁気的、光学的記憶媒体若しくはＲＯＭ、ＲＡＭなどの半導体メモリで構成される。この戸別側記憶手段１１ｃは、戸別側カード式電気錠１０を構成している各機器の機器情報、戸別側カード情報読書手段１１ａが読み取った各カード（管理用カード３１、施解錠カード３２）のカード情報、モニタ情報としての状態信号（扉の開閉状態信号や錠前の施解錠状態信号）などの施解錠制御に関する各種データを記憶している。
【００３３】
戸別側駆動機構１２は、例えばモータやソレノイドなどの駆動装置と錠前で構成され、戸別側電気錠制御手段１１ｂから入力される駆動制御信号により錠前を施錠または解錠するべく駆動し、扉枠の係止穴に対してデッドボルトを突出（施錠時）又は引き込む（解錠時）ことにより錠前が施解錠される。
【００３４】
戸別側電源部１３は、例えば商用電源（ＡＣ１００Ｖ）である外部電源で構成され、通電金具を介して戸別側カード式電気錠１０を構成する各部に電源を供給する。また、戸別側電源部１３は、錠前やエスカチオン（化粧板）の内部に着脱可能に設けられる電池で構成し、この電池から戸別側カード式電気錠１０を構成する各部に電源を供給することもできる。
【００３５】
次に、共用部側カード式電気錠２０は、図２に示すようなエントランスや駐車場などの共用部３に配設され、共用部側施解錠制御部２１、共用部側駆動機構２２、共用部側電源部２３を備えて構成される。
【００３６】
また、共用部側施解錠制御部２１は、図１に示すように、共用部側カード情報読書手段２１ａ、共用部側電気錠制御手段２１ｂ、共用部側記憶手段２１ｃを備えている。
【００３７】
共用部側カード情報読書手段２１ａは、各種カード（管理用カード３１や施解錠カード３２）からカード情報を読み取る読取手段と、必要に応じて所望のカード情報をカードに書き込む書込手段の両方の機能を備えたカードリーダ／ライタで構成される。
【００３８】
さらに説明すると、共用部側カード情報読書手段２１ａは、カード情報の登録時において、管理用カード３１のカード情報を読み取り、この読み取ったカード情報を共用部側電気錠制御手段２１ｂを介して共用部側記憶手段２１ｃに記憶して登録させている。また、共用部側カード情報読書手段２１ａは、錠前の施解錠時において、カード（管理用カード３１や施解錠カード３２）のカード情報を読み取り、この読み取ったカード情報を共用部側電気錠制御手段２１ｂに出力している。
【００３９】
共用部側電気錠制御手段２１ｂは、例えばＣＰＵなどのマイクロコンピュータなどで構成され、カード情報の登録時において、共用部側カード情報読書手段２１ａが読み取った管理用カード３１のカード情報を共用部側記憶手段２１ｃに一括登録するべく記憶させている。また、共用部側電気錠制御手段２１ｂは、錠前の施解錠時において、共用部側カード情報読書手段２１ａが読み取ったカード情報と、共用部側記憶手段２１ｃに予め登録された施解錠情報（事前に登録されたカード情報を含む）とを照合してその正当性を判別し、正常に認証したときのみ錠前を施解錠制御している。さらに、共用部側電気錠制御手段２１ｂは、上記錠前の施解錠に関する施解錠情報の入出力制御の他、錠前の施解錠時に共用部側駆動機構２２を駆動させるための駆動制御信号の出力、共用部側電源部２３から共用部側駆動機構２２への電源供給の制御、錠前からモニタ情報として入力される状態信号（例えば、扉の開閉状態信号、錠前の施解錠状態信号）の判別処理などを行っている。
【００４０】
共用部側記憶手段２１ｃは、例えば磁気的、光学的記憶媒体若しくはＲＯＭ、ＲＡＭなどの半導体メモリで構成される。この共用部側記憶手段２１ｃは、共用部側カード式電気錠２０を構成している各機器の機器情報、共用部側カード情報読書手段２１ａが管理用カード３１から読み取ったカード情報、モニタ情報としての状態信号（扉の開閉状態信号や錠前の施解錠状態信号）などの施解錠制御に関する各種データを記憶している。
【００４１】
共用部側駆動機構２２は、例えばモータやソレノイドなどの駆動装置と錠前で構成され、共用部側電気錠制御手段２１ｂから入力される駆動制御信号により錠前を施錠または解錠するべく駆動し、扉枠の係止穴に対してデッドボルトを突出（施錠時）又は引き込む（解錠時）ことにより錠前が施解錠される。
【００４２】
共用部側電源部２３は、例えば商用電源（ＡＣ１００Ｖ）である外部電源で構成され、共用部側カード式電気錠２０を構成する各部に電源を供給する。
【００４３】
次に、上記構成のカードロックシステム１の具体的な動作として、マンションなどの集合住宅の施工時から施工後に利用者が使用可能となるまでのカード情報の登録手順について説明する。
【００４４】
マンションなどの集合住宅では、住人に対するセキュリティー強化を図るため、各住戸別の玄関扉２に配設される戸別側カード式電気錠１０とは別に、共用部３に共用部側カード式電気錠２０を配設している。このため、施工開始後は施工関係者以外が建物内に入れないようにするため、施工時においては通常コンストラクションカードと称する施工時用カード３２ａを用いて各電気錠の施解錠を行っている（図２の（１）の操作）。
【００４５】
そして、建物の施工が終了すると、管理者は施工関係者が所有する施工時用カード３２ａを使用不可とするため、各戸別側カード式電気錠１０に管理用カード３１のカード情報を読み込ませる。各戸別側カード式電気錠１０は、管理用カード３１のカード情報を読み込んだ時点で施工時用カード３２ａを使用不可にするとともに、必要枚数分の利用者用カード３２ｂのカード情報の登録が可能な登録モードに設定する（図２の（２）の操作）。そして、この登録モード中に、集合住宅の運用時に管理者は、住人が施解錠時に使用する利用者用カード３２ｂのカード情報を各戸別側カード式電気錠１０毎に必要な枚数分だけカード情報の読み込みを行い、戸別側カード式電気錠１０毎に登録させる（図２の（３）の操作）。その後、戸別側カード式電気錠１０毎に管理用カード３１のカード情報を読み込ませると、それまでの登録モード中にその戸別側カード式電気錠１０に登録された利用者用カード３２ｂの必要枚数分のカード情報が管理用カード３１に書き込まれる（図２の（４）の操作）。そして、利用者カード３２ｂの必要枚数分のカード情報が記憶された管理用カード３１を共用部３の共用部側カード式電気錠２０に読み込ませると、利用者用カード３２ｂの必要枚数分のカード情報を含めて管理用カード３１内のカード情報が一括転送されて共用部側カード式電気錠２０に登録される（図２の（５）の操作）。
【００４６】
このように、上述したカードロックシステム１は、戸別側カード式電気錠１０に登録された必要枚数分の利用者用カード３２ｂのカード情報を管理用カード３１に一旦記憶させ、この管理用カード３１のカード情報を共用部側カード式電気錠２０に登録することで必要枚数分のカード情報を共用部側カード式電気錠２０に転送して一括登録することができる。これにより、共用部側カード式電気錠２０へのカード情報の登録を１枚の管理用カード３１で行うことができ、カード登録作業の簡素化を図ることができる。
【００４７】
また、コンストラクションカードのような施工時用カード３２ａを使用不可にする場合であっても、戸別側カード式電気錠１０が管理用カード３１のカード情報を認識した時点で使用不可になるので、施工時用カード３２ａを使用不可にする設定の手間が省け、施工時用カード３２ａの無効化を容易に行うことができる。
【００４８】
ところで、上述した形態では、マンションなどの集合住宅の例で説明したが、例えばオフィスビルにおけるエントランスと各テナント、ホテルなどの宿泊施設における共用施設と各客室などの共用部と共用部以外の電気錠とがそれぞれ独立制御されるカード式電気錠を採用したカードロックシステムの構成であれば特に限定はされない。
【００４９】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００５０】
【図１】本発明に係るカードロックシステムの概略構成を示すブロック図である。
【図２】同システムの具体的な使用例を示す概念図である。
【図３】（ａ）〜（ｃ）同システムに使用するカードの構成を示す説明図である。
【図４】従来のカード式電気錠を用いたシステムの説明図である。
【符号の説明】
【００５１】
１  カードロックシステム
２  各住戸玄関扉
３  共用部
１０  戸別側カード式電気錠
１１  戸別側施解錠制御部
１１ａ  戸別側カード情報読書手段
１１ｂ  戸別側電気錠制御手段
１１ｃ  戸別側記憶手段
１２  戸別側駆動機構
１３  戸別側電源部
２０  共用部側カード式電気錠
２１  共用部側施解錠制御部
２１ａ  共用部側カード情報読書手段
２１ｂ  共用部側電気錠制御手段
２１ｃ  共用部側記憶手段
２２  共用部側駆動機構
２３  共用部側電源部
３１  管理用カード
３２  施解錠カード
３２ａ  施工時用カード
３２ｂ  利用者用カード
【図１】
2006241889.tif 000003
【図２】
2006241889.tif 000004
【図３】
2006241889.tif 000005
【図４】
2006241889.tif 000006
【手続補正書】
【提出日】平成17年3月16日(2005.3.16)
【手続補正１】
【補正対象書類名】明細書
【補正対象項目名】００１３
【補正方法】変更
【補正の内容】
【００１３】
上記した目的を達成するために、請求項１記載されたカードロックシステムは、予めカードに記憶された施解錠情報の正当性を判別し、正常に認証したときのみ錠前を施解錠する電気錠として、建物の戸別毎に配設された戸別側カード式電気錠と、前記建物の共用部に配設された共用部側カード式電気錠とを備えたカードロックシステムにおいて、
前記戸別側カード式電気錠は、前記建物の利用者が使用する利用者用カードのカード情報を必要枚数分だけ読み取るカード情報読取手段と、該カード情報読取手段が読み取った必要枚数分のカード情報を登録して記憶する記憶手段と、管理者が使用する管理用カードのカード情報を前記カード情報読取手段が読み取ったときに前記記憶手段に記憶された前記利用者用カードの必要枚数分のカード情報を前記管理用カードに書き込むカード情報書込手段とを備え、
前記共用部側カード式電気錠は、前記管理用カードのカード情報を読み取るカード情報読取手段と、該カード情報読取手段が読み取ったカード情報を一括登録して記憶する記憶手段とを備えたことを特徴とする。
【手続補正２】
【補正対象書類名】明細書
【補正対象項目名】００１４
【補正方法】変更
【補正の内容】
【００１４】
請求項２に記載されたカードロックシステムは、請求項１記載のカードロックシステムにおいて、
前記戸別側カード式電気錠は、前記カード情報読取手段が前記管理用カードのカード情報を読み取ったときに、施工時に使用する施工時用カードの使用を不可にし、前記利用者用カードのカード情報を必要枚数分だけ読み取って登録する登録モードに設定することを特徴とする。